(57)【要約】【課題】オペレータがカッターや各チェーンの潤滑状態を視認しながら、潤滑油を供給又は停止できるコンバインを提供する。【解決手段】潤滑油を貯留するオイルタンク８１と、刈取装置２を構成するカッター２２へ潤滑油を供給する第一ノズル群８３と、刈取装置２及び搬送装置３を構成する各チェーン３１・３２・３３・３４・３５・３６へ潤滑油を供給する第二ノズル群８４と、オイルタンク８１から第一ノズル群８３及び第二ノズル群８４へ潤滑油を圧送するオイルポンプ８２と、オイルポンプ８２の駆動状態を操作自在とした無線送信機であるコントローラ（オーガコントローラ９１）と、で構成される注油装置８を具備し、オペレータがコントローラ（９１）を操作すると、カッター２２及び各チェーン３１・３２・３３・３４・３５・３６に潤滑油を供給又は停止できる、とした。【選択図】図５
2017006068.tif 000002
【特許請求の範囲】
【請求項１】
穀稈を刈り取る刈取装置と、
刈り取った穀稈を搬送する搬送装置と、を備えるコンバインにおいて、
潤滑油を貯留するオイルタンクと、
前記刈取装置を構成するカッターへ潤滑油を供給する第一ノズル群と、
前記刈取装置及び前記搬送装置を構成する各チェーンへ潤滑油を供給する第二ノズル群と、
前記オイルタンクから前記第一ノズル群及び前記第二ノズル群へ潤滑油を圧送するオイルポンプと、
前記オイルポンプの駆動状態を操作自在とした無線送信機であるコントローラと、で構成される注油装置を具備し、
オペレータが前記コントローラを操作すると、前記カッター及び前記各チェーンに潤滑油を供給又は停止できる、ことを特徴とするコンバイン。
【請求項２】
前記注油装置は、
前記第一ノズル群を構成する各ノズルへ潤滑油を案内する第一パイプ群と、
前記第二ノズル群を構成する各ノズルへ潤滑油を案内する第二パイプ群と、
前記第一パイプ群及び前記第二パイプ群のいずれか一方に潤滑油を流通可能とする電磁切替バルブと、を有するとともに、
前記コントローラによって前記電磁切替バルブの作動状態を操作自在とし、
オペレータが前記コントローラを操作すると、前記カッター及び前記各チェーンのいずれか一方に潤滑油を供給又は停止できる、ことを特徴とする請求項１に記載のコンバイン。
【請求項３】
前記注油装置は、
前記第一ノズル群を構成する各ノズルへ潤滑油を案内する第一パイプ群と、
前記第二ノズル群を構成する各ノズルへ潤滑油を案内する第二パイプ群と、
前記第一パイプ群及び前記第二パイプ群のいずれか一方に潤滑油を流通可能とする手動切替バルブと、を有し、
オペレータが前記手動切替バルブの作動状態を操作した状態で前記コントローラを操作すると、前記カッター及び前記各チェーンのいずれか一方に潤滑油を供給又は停止できる、ことを特徴とする請求項１に記載のコンバイン。
【請求項４】
穀粒を貯留するグレンタンクと、
前記グレンタンクから穀粒を排出するオーガと、
前記オーガの作動状態を操作自在とした無線送信機であるオーガコントローラと、を備えており、
前記オーガコントローラに前記コントローラの機能を付加した、ことを特徴とする請求項１から請求項３のいずれか一項に記載のコンバイン。
【発明の詳細な説明】
【技術分野】
【０００１】
本発明は、コンバインに関する。
【背景技術】
【０００２】
従来より、走行しながら穀稈を刈り取るコンバインが知られている。コンバインは、刈取装置のほか、搬送装置を備えている。刈取装置は、穀稈を引き起こして株元を切断する。搬送装置は、切断した穀稈を整えて所定の軌道を案内する。
【０００３】
ところで、コンバインは、刈取装置を構成するカッターや刈取装置及び搬送装置を構成する各チェーンに潤滑油を供給すべく、注油装置を備えている（特許文献１及び特許文献２参照）。注油装置は、操縦席近傍に配置されたスイッチやレバーを操作することによって作動する。しかし、このようなコンバインにおいては、オペレータが操縦席に座った状態で注油装置を作動させ、操縦席から降りて潤滑状態を確認し、再び操縦席に戻って注油装置を停止させる必要があった。そのため、オペレータがカッターや各チェーンの潤滑状態を視認しながら、潤滑油を供給又は停止できる技術が求められていた。
【先行技術文献】
【特許文献】
【０００４】
【特許文献１】特開２００９−１４８１６５号公報
【特許文献２】特開２０１１−１９３８５３号公報
【発明の概要】
【発明が解決しようとする課題】
【０００５】
オペレータがカッターや各チェーンの潤滑状態を視認しながら、潤滑油を供給又は停止できるコンバインを提供する。
【０００６】
本発明の解決しようとする課題は以上の如くであり、次にこの課題を解決するための手段を説明する。
【０００７】
請求項１に係る発明は、
穀稈を刈り取る刈取装置と、
刈り取った穀稈を搬送する搬送装置と、を備えるコンバインにおいて、
潤滑油を貯留するオイルタンクと、
前記刈取装置を構成するカッターへ潤滑油を供給する第一ノズル群と、
前記刈取装置及び前記搬送装置を構成する各チェーンへ潤滑油を供給する第二ノズル群と、
前記オイルタンクから前記第一ノズル群及び前記第二ノズル群へ潤滑油を圧送するオイルポンプと、
前記オイルポンプの駆動状態を操作自在とした無線送信機であるコントローラと、で構成される注油装置を具備し、
オペレータが前記コントローラを操作すると、前記カッター及び前記各チェーンに潤滑油を供給又は停止できる、ものである。
【０００８】
請求項２に係る発明は、請求項１に記載のコンバインにおいて、
前記注油装置は、
前記第一ノズル群を構成する各ノズルへ潤滑油を案内する第一パイプ群と、
前記第二ノズル群を構成する各ノズルへ潤滑油を案内する第二パイプ群と、
前記第一パイプ群及び前記第二パイプ群のいずれか一方に潤滑油を流通可能とする電磁切替バルブと、を有するとともに、
前記コントローラによって前記電磁切替バルブの作動状態を操作自在とし、
オペレータが前記コントローラを操作すると、前記カッター及び前記各チェーンのいずれか一方に潤滑油を供給又は停止できる、ものである。
【０００９】
請求項３に係る発明は、請求項１に記載のコンバインにおいて、
前記注油装置は、
前記第一ノズル群を構成する各ノズルへ潤滑油を案内する第一パイプ群と、
前記第二ノズル群を構成する各ノズルへ潤滑油を案内する第二パイプ群と、
前記第一パイプ群及び前記第二パイプ群のいずれか一方に潤滑油を流通可能とする手動切替バルブと、を有し、
オペレータが前記手動切替バルブの作動状態を操作した状態で前記コントローラを操作すると、前記カッター及び前記各チェーンのいずれか一方に潤滑油を供給又は停止できる、ものである。
【００１０】
請求項４に係る発明は、請求項１から請求項３のいずれか一項に記載のコンバインにおいて、
穀粒を貯留するグレンタンクと、
前記グレンタンクから穀粒を排出するオーガと、
前記オーガの作動状態を操作自在とした無線送信機であるオーガコントローラと、を備えており、
前記オーガコントローラに前記コントローラの機能を付加した、ものである。
【発明の効果】
【００１１】
本願発明の効果として、以下に示すような効果を奏する。
【００１２】
請求項１に記載の発明によれば、本コンバインは、潤滑油を貯留するオイルタンクと、刈取装置を構成するカッターへ潤滑油を供給する第一ノズル群と、刈取装置及び搬送装置を構成する各チェーンへ潤滑油を供給する第二ノズル群と、オイルタンクから第一ノズル群及び第二ノズル群へ潤滑油を圧送するオイルポンプと、オイルポンプの駆動状態を操作自在とした無線送信機であるコントローラと、で構成される注油装置を具備する。そして、オペレータがコントローラを操作すると、カッター及び各チェーンに潤滑油を供給又は停止できる。これにより、本コンバインは、オペレータがカッター及び各チェーンの潤滑状態を視認しながら、潤滑油を供給又は停止できる。
【００１３】
請求項２に記載の発明によれば、注油装置は、第一ノズル群を構成する各ノズルへ潤滑油を案内する第一パイプ群と、第二ノズル群を構成する各ノズルへ潤滑油を案内する第二パイプ群と、第一パイプ群及び第二パイプ群のいずれか一方に潤滑油を流通可能とする電磁切替バルブと、を有するとともに、コントローラによって電磁切替バルブの作動状態を操作自在としている。そして、オペレータがコントローラを操作すると、カッター及び各チェーンのいずれか一方に潤滑油を供給又は停止できる。これにより、本コンバインは、オペレータがカッターの潤滑状態をより間近で視認しながら、潤滑油を供給又は停止できる。また、オペレータが各チェーンの潤滑状態をより間近で視認しながら、潤滑油を供給又は停止できる。
【００１４】
請求項３に記載の発明によれば、注油装置は、第一ノズル群を構成する各ノズルへ潤滑油を案内する第一パイプ群と、第二ノズル群を構成する各ノズルへ潤滑油を案内する第二パイプ群と、第一パイプ群及び第二パイプ群のいずれか一方に潤滑油を流通可能とする手動切替バルブと、を有する。そして、オペレータが手動切替バルブの作動状態を操作した状態でコントローラを操作すると、カッター及び各チェーンのいずれか一方に潤滑油を供給又は停止できる。これにより、本コンバインは、オペレータがカッターの潤滑状態をより間近で視認しながら、潤滑油を供給又は停止できる。また、オペレータが各チェーンの潤滑状態をより間近で視認しながら、潤滑油を供給又は停止できる。
【００１５】
請求項４に記載の発明によれば、本コンバインは、穀粒を貯留するグレンタンクと、グレンタンクから穀粒を排出するオーガと、オーガの作動状態を操作自在とした無線送信機であるオーガコントローラと、を備えている。そして、オーガコントローラにコントローラの機能を付加している。これにより、本コンバインは、オペレータがオーガコントローラを用いて、潤滑油を供給又は停止できる。
【図面の簡単な説明】
【００１６】
【図１】コンバインを示す図。
【図２】図１の矢印Ｌから見た図。
【図３】図１の矢印Ｒから見た図。
【図４】動力伝達機構を示す図。
【図５】注油装置の構成を示す図。
【図６】ノズルの配置を示す図。
【図７】オーガ制御システムを示す図。
【図８】オーガの動作態様を示す図。
【図９】オーガコントローラを示す図。
【図１０】オーガ制御システムを示す図。
【図１１】オーガコントローラを示す図。
【発明を実施するための形態】
【００１７】
まず、コンバイン１００について簡単に説明する。
【００１８】
図１は、コンバイン１００を示している。図２は、図１の矢印Ｌから見た図であり、図３は、図１の矢印Ｒから見た図である。図中には、コンバイン１００の前後方向、左右方向及び上下方向を表す。
【００１９】
コンバイン１００は、主に走行装置１と、刈取装置２と、搬送装置３と、脱穀装置４と、選別装置５と、貯留装置６と、で構成されている。
【００２０】
走行装置１は、シャシの下方に設けられている。走行装置１は、トランスミッション１１と、クローラ式走行装置１２・１２と、で構成されている。トランスミッション１１は、後述するエンジン１０の回転動力をクローラ式走行装置１２・１２へ伝達する。クローラ式走行装置１２・１２は、コンバイン１００を前後方向に走行させる。また、クローラ式走行装置１２・１２は、コンバイン１００を左右方向に旋回させる。
【００２１】
刈取装置２は、走行装置１の前方に設けられている。刈取装置２は、引起チェーン２１と、カッター２２と、で構成されている。引起チェーン２１は、圃場の穀稈を引き起こす。カッター２２は、引起チェーン２１によって引き起こされた穀稈を切断する。
【００２２】
搬送装置３は、刈取装置２の後方に設けられている。搬送装置３は、上部搬送チェーン３１と、下部搬送チェーン３２と、その他の各搬送チェーン３３・３４及びフィードチェーン３５などで構成されている（図４、図６参照）。上部搬送チェーン３１は、穀稈の穂先側を支持して案内する。下部搬送チェーン３２は、穀稈の株元側を支持して案内する。そして、各搬送チェーン３３・３４は、上部搬送チェーン３１と下部搬送チェーン３２によって案内された穀稈を受け継ぎ、フィードチェーン３５は、穀稈の穂先側を脱穀装置４に投入した状態で後方へ案内する。
【００２３】
脱穀装置４は、搬送装置３の後方に設けられている。脱穀装置４は、ローター４１と、シーブメッシュ４２と、で構成されている。ローター４１は、フィードチェーン３５によって案内されている穀稈を脱穀する。シーブメッシュ４２は、フィードチェーン３５によって案内されている穀稈を支持するとともに、脱穀物（穀粒や藁屑）をふるいにかける。
【００２４】
選別装置５は、脱穀装置４の下方に設けられている。選別装置５は、揺動装置５１と、送風ファン５２と、で構成されている。揺動装置５１は、シーブメッシュ４２から落下してきた脱穀物をふるいにかけて穀粒を選別する。送風ファン５２は、穀粒とともに落下してきた藁屑や揺動装置５１の上に残った藁屑を吹き飛ばす。
【００２５】
貯留装置６は、脱穀装置４及び選別装置５の側方に設けられている。貯留装置６は、グレンタンク６１と、オーガ６２と、で構成されている。グレンタンク６１は、選別装置５から送られてきた穀粒を貯留する。オーガ６２は、グレンタンク６１内の穀粒を排出する際に用いられる。なお、オーガ６２の詳細については後述する。
【００２６】
次に、コンバイン１００の動力伝達機構について説明する。
【００２７】
図４は、動力伝達機構を示している。以下では、本願発明に関する部分のみを説明しており、その他の部分については省略している。
【００２８】
本コンバイン１００は、エンジン１０の回転動力を利用して刈取装置２と搬送装置３を駆動する。搬送装置３には、ベルトＢａを介して回転動力が入力される。刈取装置２には、搬送装置３の回転軸やギヤなどを介して回転動力が入力される。
【００２９】
動力伝達機構は、回転軸７１を備えている。回転軸７１には、プーリが取り付けられており、該プーリにベルトＢａが掛けられている。そのため、回転軸７１は、エンジン１０の回転動力によって回転する。なお、回転軸７１には、ベベルギヤ７１ａとベベルギヤ７１ｂが取り付けられている。
【００３０】
更に、動力伝達機構は、回転軸７２・７３を備えている。回転軸７２には、ベベルギヤが取り付けられており、該ベベルギヤがベベルギヤ７１ａに噛み合っている。そのため、回転軸７２は、回転軸７１の回転に伴って回転する。なお、回転軸７２には、ベベルギヤ７２ａとベベルギヤ７２ｂが取り付けられている。更に、回転軸７３には、ベベルギヤが取り付けられており、該ベベルギヤがベベルギヤ７１ｂに噛み合っている。そのため、回転軸７３も、回転軸７１の回転に伴って回転する。なお、回転軸７３には、スプロケット７３ａとスプロケット７３ｂが取り付けられている。スプロケット７３ａには、補助搬送チェーン３４が掛けられている。スプロケット７３ｂには、車体右側の上部搬送チェーン３１が掛けられている。
【００３１】
更に、動力伝達機構は、回転軸７４・７５を備えている。回転軸７４には、ベベルギヤが取り付けられており、該ベベルギヤがベベルギヤ７２ａに噛み合っている。そのため、回転軸７４は、回転軸７２の回転に伴って回転する。なお、回転軸７４には、ベベルギヤ７４ａとベベルギヤ７４ｂが取り付けられている。ベベルギヤ７４ａには、他のベベルギヤが噛み合っており、回転軸を介して取り付けられたスプロケットに縦搬送チェーン３３が掛けられている。また、スプロケット７４ｂには、車体右側の下部搬送チェーン３２が掛けられている。更に、回転軸７５には、ベベルギヤが取り付けられており、該ベベルギヤがベベルギヤ７２ｂに噛み合っている。そのため、回転軸７５も、回転軸７２の回転に伴って回転する。なお、回転軸７５には、ベベルギヤ７５ａとスプロケット７５ｂが取り付けられている。
【００３２】
更に、動力伝達機構は、回転軸７６・７７を備えている。回転軸７６には、ベベルギヤが取り付けられており、該ベベルギヤがベベルギヤ７５ａに噛み合っている。そのため、回転軸７６は、回転軸７５の回転に伴って回転する。なお、回転軸７６には、ベベルギヤ７６ａと二枚一組のスパーギヤ７６ｂが取り付けられている。更に、回転軸７７には、ベベルギヤが取り付けられており、該ベベルギヤがベベルギヤ７５ｂに噛み合っている。そのため、回転軸７７も、回転軸７５の回転に伴って回転する。なお、回転軸７７には、クランクシャフト７７ａが取り付けられている。クランクシャフト７７ａには、コネクティングロッドが連結されており、該コネクティングロッドを支持するブラケットにカッター２２が接続されている。
【００３３】
更に、動力伝達機構は、回転軸７８・７９を備えている。回転軸７８には、ベベルギヤが取り付けられており、該ベベルギヤがベベルギヤ７６ａに噛み合っている。そのため、回転軸７８は、回転軸７６の回転に伴って回転する。なお、回転軸７８には、ベベルギヤ７８ａが取り付けられている。ベベルギヤ７８ａには、他のベベルギヤが噛み合っており、回転軸を介して取り付けられたスプロケットに車体左側の上部搬送チェーン３１が掛けられている。また、他のスプロケットには、車体左側の下部搬送チェーン３２が掛けられている。更に、回転軸７９には、二枚一組のスパーギヤが取り付けられており、該スパーギヤがスパーギヤ７６ｂに噛み合っている。そのため、回転軸７９も、回転軸７６の回転に伴って回転する。なお、回転軸７９には、ベベルギヤ７９ａが取り付けられている。
【００３４】
更に、動力伝達機構は、回転軸７Ａを備えている。回転軸７Ａには、ベベルギヤが取り付けられており、該ベベルギヤがベベルギヤ７９ａに噛み合っている。そのため、回転軸７Ａは、回転軸７９の回転に伴って回転する。なお、回転軸７Ａには、ベベルギヤ７Ａａ・７Ａｂ・７Ａｃが取り付けられている。ベベルギヤ７Ａａには、他のベベルギヤが噛み合っており、回転軸を介して取り付けられたスプロケットに車体左側の引起チェーン２１が掛けられている。また、ベベルギヤ７Ａｂには、他のベベルギヤが噛み合っており、回転軸を介して取り付けられたスプロケットに車体中側の引起チェーン２１が掛けられている（図示せず）。また、ベベルギヤ７Ａｃには、他のベベルギヤが噛み合っており、回転軸を介して取り付けられたスプロケットに車体右側の引起チェーン２１が掛けられている（図示せず）。
【００３５】
このような構造により、刈取装置２を構成する引起チェーン２１やカッター２２が駆動する。また、搬送装置３を構成する上部搬送チェーン３１や下部搬送チェーン３２、縦搬送チェーン３３、補助搬送チェーン３４が駆動する。
【００３６】
また、本コンバイン１００は、エンジン１０の回転動力を利用して脱穀装置４と選別装置５を駆動する。選別装置５には、ベルトＢｂを介して回転動力が入力される。また、脱穀装置４には、選別装置５の回転軸やプーリなどを介して回転動力が入力される。
【００３７】
動力伝達機構は、回転軸７Ｂを備えている。回転軸７Ｂには、プーリが取り付けられており、該プーリにベルトＢｂが掛けられている。そのため、回転軸７Ｂは、エンジン１０の回転動力によって回転する。なお、回転軸７Ｂには、プーリ７Ｂａと送風ファン５２とプーリ７Ｂｂが取り付けられている。プーリ７Ｂｂには、ベルトＢｃが掛けられている。送風ファン５２は、回転軸７Ｂとともに回転する。プーリ７Ｂｃには、ベルトＢｄが掛けられている。
【００３８】
更に、動力伝達機構は、回転軸７Ｃ・７Ｄを備えている。回転軸７Ｃには、プーリが取り付けられており、該プーリにベルトＢｄが掛けられている。そのため、回転軸７Ｃは、回転軸７Ｂの回転に伴って回転する。なお、回転軸７Ｃには、プーリ７Ｃａとコンベヤ５３が取り付けられている。プーリ７Ｃａには、ベルトＢｅが掛けられている。コンベヤ５３は、回転軸７Ｃとともに回転する。更に、回転軸７Ｄには、プーリが取り付けられており、該プーリにベルトＢｅが掛けられている。そのため、回転軸７Ｄは、回転軸７Ｃの回転に伴って回転する。なお、回転軸７Ｄには、コンベヤ５４が取り付けられている。コンベヤ５４は、回転軸７Ｄとともに回転する。
【００３９】
更に、動力伝達機構は、回転軸７Ｅを備えている。回転軸７Ｅには、プーリが取り付けられており、該プーリにベルトＢｅが掛けられている。そのため、回転軸７Ｅは、回転軸７Ｃの回転に伴って回転する。なお、回転軸７Ｅには、スパーギヤ７Ｅａが取り付けられている。スパーギヤ７Ｅａには、他のスパーギヤが噛み合っており、回転軸を介して取り付けられたスプロケットにフィードチェーン３５が掛けられている。
【００４０】
更に、動力伝達機構は、回転軸７Ｆ・７Ｇを備えている。回転軸７Ｆには、プーリが取り付けられており、該プーリにベルトＢｃが掛けられている。そのため、回転軸７Ｆは、回転軸７Ｂの回転に伴って回転する。なお、回転軸７Ｆには、ベベルギヤ７Ｆａが取り付けられている。更に、回転軸７Ｇには、ベベルギヤが取り付けられており、該ベベルギヤにベベルギヤ７Ｆａが噛み合っている。そのため、回転軸７Ｇは、回転軸７Ｆの回転に伴って回転する。なお、回転軸７Ｇには、ローター４１とプーリ７Ｇａが取り付けられている。ローター４１は、回転軸７Ｇとともに回転する。プーリ７Ｇａには、ベルトＢｆが掛けられている。
【００４１】
動力伝達機構は、回転軸７Ｈを備えている。回転軸７Ｈには、プーリが取り付けられており、該プーリにベルトＢｆが掛けられている。そのため、回転軸７Ｈは、回転軸７Ｇの回転に伴って回転する。なお、回転軸７Ｈには、ベベルギヤ７Ｈａが取り付けられている。ベベルギヤ７Ｈａには、他のベベルギヤが噛み合っており、回転軸を介して取り付けられたスプロケットに排出チェーン３６が掛けられている。また、他のスプロケットに補助排出チェーン３７が掛けられている。
【００４２】
このような構造により、脱穀装置４を構成するローター４１が駆動する。また、選別装置５を構成する送風ファン５２やコンベヤ５３、コンベヤ５４が駆動する。更に、搬送装置３を構成するフィードチェーン３５、排出チェーン３６、補助排出チェーン３７も駆動する。
【００４３】
また、本コンバイン１００は、エンジン１０の回転動力を利用して貯留装置６を駆動する。貯留装置６には、ベルトＢｇを介して回転動力が入力される。
【００４４】
動力伝達機構は、回転軸７Ｉを備えている。回転軸７Ｉには、プーリが取り付けられており、該プーリにベルトＢｇが掛けられている。そのため、回転軸７Ｉは、エンジン１０の回転動力によって回転する。なお、回転軸７Ｉには、ベベルギヤ７Ｉａが取り付けられている。
【００４５】
更に、動力伝達機構は、回転軸７Ｊ・７Ｋを備えている。回転軸７Ｊには、ベベルギヤが取り付けられており、該ベベルギヤにベベルギヤ７Ｉａが噛み合っている。そのため、回転軸７Ｊは、回転軸７Ｉの回転に伴って回転する。なお、回転軸７Ｊには、プーリ７Ｊａが取り付けられている。プーリ７Ｊａには、ベルトＢｈが掛けられている。更に、回転軸７Ｋには、プーリが取り付けられており、該プーリにベルトＢｈが掛けられている。そのため、回転軸７Ｋは、回転軸７Ｊの回転に伴って回転する。なお、回転軸７Ｋには、コンベヤ６３とベベルギヤ７Ｋａが取り付けられている。コンベヤ６３は、回転軸７Ｋとともに回転する。
【００４６】
更に、動力伝達機構は、回転軸７Ｌ・７Ｍを備えている。回転軸７Ｌには、ベベルギヤが取り付けられており、該ベベルギヤにベベルギヤ７Ｋａが噛み合っている。そのため、回転軸７Ｌは、回転軸７Ｋの回転に伴って回転する。なお、回転軸７Ｌには、コンベヤ６４とベベルギヤ７Ｌａが取り付けられている。コンベヤ６４は、回転軸７Ｌとともに回転する。更に、回転軸７Ｍには、ベベルギヤが取り付けられており、該ベベルギヤにベベルギヤ７Ｌａが噛み合っている。そのため、回転軸７Ｍは、回転軸７Ｌの回転に伴って回転する。なお、回転軸７Ｍには、ベベルギヤ７Ｍａが取り付けられている。
【００４７】
更に、動力伝達機構は、回転軸７Ｎを備えている。回転軸７Ｎには、ベベルギヤが取り付けられており、該ベベルギヤにベベルギヤ７Ｍａが噛み合っている。そのため、回転軸７Ｎは、回転軸７Ｍの回転に伴って回転する。なお、回転軸７Ｎには、コンベヤ６５が取り付けられている。コンベヤ６５は、回転軸７Ｎとともに回転する。
【００４８】
このような構造により、貯留装置６を構成するコンベヤ６３、コンベヤ６４、コンベヤ６５が駆動する。なお、コンベヤ６５は、オーガ６２の一部を構成している。
【００４９】
次に、注油装置８について説明する。
【００５０】
図５は、注油装置８の構成を示している。図６は、ノズル８３ａ・・・８４ａ・・・の配置を示している。図中には、コンバイン１００の前後方向、左右方向及び上下方向を表す。
【００５１】
注油装置８は、主にオイルタンク８１と、オイルポンプ８２と、第一ノズル群８３と、第二ノズル群８４と、で構成されている。
【００５２】
オイルタンク８１は、潤滑油を貯留する。オイルタンク８１は、板材を溶接して形成された中空容器である。そのため、オイルタンク８１は、大量の潤滑油を貯えることができる。なお、オイルタンク８１には、パイプ８１１が接続されている。パイプ８１１は、フィルタ８１２とコック８１３を介してオイルポンプ８２へ潤滑油を案内する。
【００５３】
オイルポンプ８２は、潤滑油を圧送する。オイルポンプ８２は、通電時にプランジャが摺動する電動ポンプである。そのため、オイルポンプ８２は、駆動状態であるときに潤滑油を送り出すことができる。なお、オイルポンプ８２には、パイプ８２１が接続されている。パイプ８２１は、コネクタ８２２へ潤滑油を案内する。また、コネクタ８２２には、パイプ８２３・８２４が接続されている。パイプ８２３は、第一ノズル群８３へ潤滑油を案内する。パイプ８２４は、第二ノズル群８４へ潤滑油を案内する。
【００５４】
第一ノズル群８３は、刈取装置２を構成するカッター２２へ潤滑油を供給する。第一ノズル群８３は、複数のノズル８３ａ・・・で構成されている。具体的に説明すると、車体右側のノズル８３ａと、車体中側のノズル８３ｂと、車体左側のノズル８３ｃと、で構成されている。そのため、第一ノズル群８３は、左右方向へ長いカッター２２に対して偏ることなく潤滑油を供給できる。なお、本願では、パイプ８２３と、該パイプ８２３から分岐して各ノズル８３ａ・・・へ潤滑油を案内する複数のパイプと、を「第一パイプ群８５」と定義する。
【００５５】
第二ノズル群８４は、刈取装置２及び搬送装置３を構成する各チェーン２１・３１・３２・３３・３４・３５・３６・３７へ潤滑油を供給する。第二ノズル群８４は、複数のノズル８４ａ・・・で構成されている。具体的に説明すると、車体右側の引起チェーン２１に対するノズル８４ａと、車体中側の引起チェーン２１に対するノズル８４ｂと、車体左側の引起チェーン２１に対するノズル８４ｃと、車体右側の上部搬送チェーン３１に対するノズル８４ｄと、車体右側の下部搬送チェーン３２に対するノズル８４ｅと、車体左側の上部搬送チェーン３１に対するノズル８４ｆと、車体左側の下部搬送チェーン３２に対するノズル８４ｇと、縦搬送チェーン３３に対するノズル８４ｈと、補助搬送チェーン３４に対するノズル８４ｉと、フィードチェーン３５に対するノズル８４ｊと、排出チェーン３６に対するノズル８４ｋと、補助排出チェーンに対するノズル８４ｍと、で構成されている。そのため、第二ノズル群８４は、各チェーン２１・３１・３２・３３・３４・３５・３６・３７に対して偏ることなく潤滑油を供給できる。なお、本願では、パイプ８２４と、該パイプ８２４から分岐して各ノズル８４ａ・・・へ潤滑油を案内する複数のパイプと、を「第二パイプ群８６」と定義する。
【００５６】
次に、コンバイン１００のオーガ制御システム９について説明する。
【００５７】
図７は、オーガ制御システム９を示している。以下では、本願発明に関する部分のみを説明しており、その他の部分については省略している。また、図８は、オーガ６２の動作態様を示している。図中には、コンバイン１００の前後方向、左右方向及び上下方向を表す。更に、図９は、オーガコントローラ９１を示している。
【００５８】
オーガ制御システム９は、主にオーガコントローラ９１と、レシーバー９２と、コントロールユニット９３と、オーガ旋回用モータ９４と、オーガ昇降用モータ９５と、で構成されている。
【００５９】
オーガコントローラ９１は、無線送信機である。オーガコントローラ９１は、オペレータによる操作を電気信号に変換する。そして、オーガコントローラ９１は、電気信号を搬送波として発信する。
【００６０】
レシーバー９２は、無線受信機である。レシーバー９２は、受信した搬送波を電気信号に変換する。そして、レシーバー９２は、電気信号をコントロールユニット９３に送信する。
【００６１】
コントロールユニット９３は、中央処理装置や記憶装置を備えている。コントロールユニット９３は、入力された電気信号に基づいて出力される電気信号を作成する。そして、コントロールユニット９３は、電気信号をオーガ旋回用モータ９４やオーガ昇降用モータ９５に送信する。
【００６２】
オーガ旋回用モータ９４は、ドライバ回路装置９４ｄを備えている。ドライバ回路装置９４ｄは、電気が流れることによって作動し、オーガ旋回用モータ９４の駆動電力を制御（ＯＮ／ＯＦＦ）する。こうして、オーガ旋回用モータ９４は、駆動したり停止したりする。ひいては、オーガ６２が旋回したり（図８の矢印Ｔ参照）、オーガ６２が停止したりするのである。
【００６３】
オーガ昇降用モータ９５は、ドライバ回路装置９５ｄを備えている。ドライバ回路装置９５ｄは、電気が流れることによって作動し、オーガ昇降用モータ９５の駆動電力を制御（ＯＮ／ＯＦＦ）する。こうして、オーガ昇降用モータ９５は、駆動したり停止したりする。ひいては、オーガ６２が昇降したり（図８の矢印Ｅ参照）、オーガ６２が停止したりするのである。
【００６４】
このような構成により、オペレータがオーガコントローラ９１の右ボタン９１Ｒを押すとオーガ６２が右方へ旋回し、左ボタン９１Ｌを押すとオーガ６２が左方へ旋回する。また、オペレータがオーガコントローラ９１の上ボタン９１Ｕを押すとオーガ６２が上方へ回動し、下ボタン９１Ｄを押すとオーガ６２が下方へ回動する。
【００６５】
加えて、本コンバイン１００のオーガ制御システム９は、オイルポンプ８２を構成するポンプ駆動用モータ９６を含んでいる。コントロールユニット９３は、電気信号をポンプ駆動用モータ９６にも送信する。
【００６６】
ポンプ駆動用モータ９６は、ドライバ回路装置９６ｄを備えている。ドライバ回路装置９６ｄは、電気が流れることによって作動し、ポンプ駆動用モータ９６の駆動電力を制御（ＯＮ／ＯＦＦ）する。こうして、ポンプ駆動用モータ９６は、駆動したり停止したりする。ひいては、オイルポンプ８２が潤滑油を送り出したり（図７の矢印Ｐ参照）、オイルポンプ８２が潤滑油を送り出すのをやめたりするのである。
【００６７】
このような構成により、オペレータがオーガコントローラ９１の注油ボタン９１Ｚを押している状態では、カッター２２及び各チェーン２１・３１・３２・３３・３４・３５・３６・３７に潤滑油が供給される。但し、オペレータがオーガコントローラ９１の注油ボタン９１Ｚを押していない状態では、カッター２２及び各チェーン２１・３１・３２・３３・３４・３５・３６・３７に潤滑油は供給されない。
【００６８】
以上のように、本コンバイン１００は、潤滑油を貯留するオイルタンク８１と、刈取装置２を構成するカッター２２へ潤滑油を供給する第一ノズル群８３と、刈取装置２及び搬送装置３を構成する各チェーン２１・３１・３２・３３・３４・３５・３６・３７へ潤滑油を供給する第二ノズル群８４と、オイルタンク８１から第一ノズル群８３及び第二ノズル群８４へ潤滑油を圧送するオイルポンプ８２と、オイルポンプ８２の駆動状態を操作自在とした無線送信機であるコントローラ（本実施形態ではオーガコントローラ９１）と、で構成される注油装置８を具備する。そして、オペレータがコントローラ（９１）を操作すると、カッター２２及び各チェーン２１・３１・３２・３３・３４・３５・３６・３７に潤滑油を供給又は停止できる。これにより、本コンバイン１００は、オペレータがカッター２２及び各チェーン２１・３１・３２・３３・３４・３５・３６・３７の潤滑状態を視認しながら、潤滑油を供給又は停止できる。
【００６９】
次に、第二実施形態に係る注油装置８及びオーガ制御システム９について説明する。
【００７０】
図１０は、オーガ制御システム９を示している。以下では、本願発明に関する部分のみを説明しており、その他の部分については省略している。更に、図１１は、オーガコントローラ９１を示している。
【００７１】
本実施形態において、注油装置８は、コネクタ８２２の代わりに電磁切替バルブ８７を備えている（図５参照）。電磁切替バルブ８７は、パイプ８２３又はパイプ８２４のいずれか一方に潤滑油を流通可能とする。
【００７２】
本実施形態におけるオーガ制御システム９は、電磁切替バルブ８７を構成するスプール駆動用ソレノイド９７を含んでいる。従って、コントロールユニット９３は、電気信号をスプール駆動用ソレノイド９７にも送信する。
【００７３】
スプール駆動用ソレノイド９７は、ドライバ回路装置９７ｄを備えている。ドライバ回路装置９７ｄは、電気が流れることによって作動し、スプール駆動用ソレノイド９７の駆動電力を制御（ＯＮ／ＯＦＦ）する。こうして、スプール駆動用ソレノイド９７は、励磁したり消磁したりする。ひいては、電磁切替バルブ８７が潤滑油をパイプ８２３に流通させたり、電磁切替バルブ８７が潤滑油をパイプ８２４に流通させたりするのである。
【００７４】
このような構成により、オペレータがオーガコントローラ９１のカッター潤滑ボタン９１Ｘを選択し、かつ注油ボタン９１Ｚを押している状態では、カッター２２に潤滑油が供給される。但し、オペレータがオーガコントローラ９１の注油ボタン９１Ｚを押していない状態では、カッター２２に潤滑油は供給されない。同様に、オペレータがオーガコントローラ９１のチェーン潤滑ボタン９１Ｙを選択し、かつ注油ボタン９１Ｚを押している状態では、各チェーン２１・３１・３２・３３・３４・３５・３６・３７に潤滑油が供給される。但し、オペレータがオーガコントローラ９１の注油ボタン９１Ｚを押していない状態では、各チェーン２１・３１・３２・３３・３４・３５・３６・３７に潤滑油は供給されない。
【００７５】
以上のように、注油装置８は、第一ノズル群８３を構成する各ノズル８３ａ・・・へ潤滑油を案内する第一パイプ群８５と、第二ノズル群８４を構成する各ノズル８４ａ・・・へ潤滑油を案内する第二パイプ群８６と、第一パイプ群８５及び第二パイプ群８６のいずれか一方に潤滑油を流通可能とする電磁切替バルブ８７と、を有するとともに、コントローラ（本実施形態ではオーガコントローラ９１）によって電磁切替バルブ８７の作動状態を操作自在としている。そして、オペレータがコントローラ（９１）を操作すると、カッター２２及び各チェーン２１・３１・３２・３３・３４・３５・３６・３７のいずれか一方に潤滑油を供給又は停止できる。これにより、本コンバイン１００は、オペレータがカッター２２の潤滑状態をより間近で視認しながら、潤滑油を供給又は停止できる。また、オペレータが各チェーン２１・３１・３２・３３・３４・３５・３６・３７の潤滑状態をより間近で視認しながら、潤滑油を供給又は停止できる。
【００７６】
次に、第三実施形態に係る注油装置８及びオーガ制御システム９について説明する。
【００７７】
本実施形態において、注油装置８は、コネクタ８２２の代わりに手動切替バルブ８８を備えている（図５参照）。手動切替バルブ８８は、パイプ８２３又はパイプ８２４のいずれか一方に潤滑油を流通可能とする。
【００７８】
このような構成により、オペレータが手動切替バルブ８８を一方に操作した状態で、かつ注油ボタン９１Ｚを押している状態では、カッター２２に潤滑油が供給される。但し、オペレータがオーガコントローラ９１の注油ボタン９１Ｚを押していない状態では、カッター２２に潤滑油は供給されない。同様に、オペレータが手動切替バルブ８８を他方に操作した状態で、かつ注油ボタン９１Ｚを押している状態では、各チェーン２１・３１・３２・３３・３４・３５・３６・３７に潤滑油が供給される。但し、オペレータがオーガコントローラ９１の注油ボタン９１Ｚを押していない状態では、各チェーン２１・３１・３２・３３・３４・３５・３６・３７に潤滑油は供給されない。
【００７９】
以上のように、注油装置８は、第一ノズル群８３を構成する各ノズル８３ａ・・・へ潤滑油を案内する第一パイプ群８５と、第二ノズル群８４を構成する各ノズル８４ａ・・・へ潤滑油を案内する第二パイプ群８６と、第一パイプ群８５及び第二パイプ群８６のいずれか一方に潤滑油を流通可能とする手動切替バルブ８８と、を有する。そして、オペレータが手動切替バルブ８８の作動状態を操作した状態でコントローラ（本実施形態ではオーガコントローラ９１）を操作すると、カッター２２及び各チェーン２１・３１・３２・３３・３４・３５・３６・３７のいずれか一方に潤滑油を供給又は停止できる。これにより、本コンバイン１００は、オペレータがカッター２２の潤滑状態をより間近で視認しながら、潤滑油を供給又は停止できる。また、オペレータが各チェーン２１・３１・３２・３３・３４・３５・３６・３７の潤滑状態をより間近で視認しながら、潤滑油を供給又は停止できる。
【００８０】
ところで、本願発明に係るコンバイン１００のオーガ制御システム９は、オーガコントローラ９１に対し、オイルポンプ８２のコントローラ９８を付加したものといえる（図７、図１０参照）。
【００８１】
以上のように、本コンバイン１００は、穀粒を貯留するグレンタンク６１と、グレンタンク６１から穀粒を排出するオーガ６２と、オーガ６２の作動状態を操作自在とした無線送信機であるオーガコントローラ９１と、を備えている。そして、オーガコントローラ９１にコントローラ９８の機能を付加している。これにより、本コンバイン１００は、オペレータがオーガコントローラ９１を用いて、潤滑油を供給又は停止できる。
【符号の説明】
【００８２】
１００    コンバイン
１        走行装置
２        刈取装置
２１      引起チェーン（チェーン）
２２      カッター
３        搬送装置
３１      上部搬送チェーン（チェーン）
３２      下部搬送チェーン（チェーン）
３３      縦搬送チェーン（チェーン）
３４      補助搬送チェーン（チェーン）
３５      フィードチェーン（チェーン）
３６      排出チェーン（チェーン）
３７      補助排出チェーン（チェーン）
４        脱穀装置
５        選別装置
６        貯留装置
８        注油装置
８１      オイルタンク
８２      オイルポンプ
８３      第一ノズル群
８３ａ    ノズル
８４      第二ノズル群
８４ａ    ノズル
８５      第一パイプ群
８６      第二パイプ群
８７      電磁切替バルブ
８８      手動切替バルブ
９        オーガ制御システム
９１      オーガコントローラ
９２      レシーバー
９３      コントロールユニット
９４      オーガ旋回用モータ
９４ｄ    ドライバ回路装置
９５      オーガ昇降用モータ
９５ｄ    ドライバ回路装置
９６      ポンプ駆動用モータ
９６ｄ    ドライバ回路装置
９７      スプール駆動用ソレノイド
９７ｄ    ドライバ回路装置
９８      コントローラ
【図１】
2017006068.tif 000003
【図２】
2017006068.tif 000004
【図３】
2017006068.tif 000005
【図４】
2017006068.tif 000006
【図５】
2017006068.tif 000007
【図６】
2017006068.tif 000008
【図７】
2017006068.tif 000009
【図８】
2017006068.tif 000010
【図９】
2017006068.tif 000011
【図１０】
2017006068.tif 000012
【図１１】
2017006068.tif 000013